(57)【特許請求の範囲】
【請求項１】
機器本体に設けた主操作部と、機器本体の前面に設けたリモコンホルダーと、該リモコンホルダーに着脱自在に取り付け、少なくとも前記主操作部の操作スイッチより少なく操作スイッチを設けたリモコン本体と、前記リモコンホルダーに隣接して設け、前記リモコン本体が着脱いずれの状態においてもリモコン信号を受光する構成とした受光部を備え、前記リモコンホルダーは前記リモコン本体が装着される面を略垂直平面と傾斜面を有する構成とし、前記略垂直平面と傾斜面の境界部を軸として、前記リモコン本体が前記傾斜面に当接するまで回動するように構成し、前記リモコンホルダーの裏面には、前記略垂直平面と前記傾斜面にまたがる位置に１個以上の磁石を取り付けた燃焼装置。
【請求項２】
リモコンホルダーの磁石と、前記磁石に対向してリモコン本体に取り付けた磁性体により、前記リモコン本体の収納形態を確保するようにした請求項１記載の燃焼装置。
【請求項３】
リモコンホルダーの収納部形状とリモコン本体形状は一方向に対して同一形状になるようにした請求項１記載の燃焼装置。
【請求項４】
機器本体に設けた主操作部と、機器本体の前面に設けたリモコンホルダーと、該リモコンホルダーに着脱自在に取り付け、少なくとも前記主操作部の操作スイッチより少なく操作スイッチを設けたリモコン本体と、前記リモコンホルダーに隣接して設け、前記リモコン本体が着脱いずれの状態においてもリモコン信号を受光する構成とした受光部を備え、前記リモコンホルダーは前記リモコン本体が装着される面を略垂直平面と傾斜面を有する構成とし、前記略垂直平面と傾斜面の境界部を軸として、前記リモコン本体が前記傾斜面に当接するまで回動するように構成し、前記リモコンホルダー上方には、少なくとも下方と前方の二面に赤外線透過樹脂を配し、かつ係止部を有する受光カバーを一体化して設けるとともに、リモコン本体が略垂直平面と当接状態にあるとき前記リモコン本体からの信号を受光し、前記リモコン本体が傾斜面と当接状態にあるときは前記リモコン本体からの信号を受光しないような位置に受光ユニットを配設するようにした燃焼装置。
【請求項５】
機器本体の前面に設けた前板適所にリモコンホルダー取付用開口部を設け、前記開口部には切り起こし部を有する複数の折曲片を備え、前記折曲片を前記リモコンホルダーに設けた取付孔に挿入することで前記リモコンホルダーを前記前板に一体化して取り付けるようにした請求項１記載の燃焼装置。
【発明の詳細な説明】
【０００１】
【発明の属する技術分野】
本発明は、リモコンを有する燃焼装置において、特にリモコンの取付構成に関するものである。
【０００２】
【従来の技術】
一般にリモコンは機器本体に設けた主操作部とは別に設け、機器本体より離れた位置で運転又は各種設定操作を行うもので、現在、その種類も数多く考案されており、その機器の種類や用途に応じて、最適なリモコンの形態を選択できるものである。
【０００３】
例えば、常に離れた場所で操作するような機器で、安価に、かつノイズ等の影響を受けず、確実に遠隔制御を行いたい場合は、完全にリモコンを別設し有線で機器本体と接続するワイヤードリモコンを選択する。
【０００４】
また、本願発明のように室内で用いる燃焼器、例えばファンヒータ等のリモコンにおいては、操作場所を限定せず同一部屋内の任意の場所から操作できるものが望ましく、従来よりワイヤレスリモコンが一般的である。以下その構成を図１０（ａ）と（ｂ）を用いて説明する。
【０００５】
図において３０は、ワイヤレスのリモコン本体であり、操作信号の送信手段として、電波を用いるものや赤外線を用いるものがあるが、共に機器本体３１側の受信部３２は機器本体３１に設けている主操作部３３の近傍に設け、リモコンで操作する場合は、その受信部３２に向けて信号を送ることで遠隔操作を行うようにしているものである。すなわち、従来のリモコン操作は、リモコン本体３０を機器本体３１から完全に離した状態でのみ操作可能にするという発想のもとに構成されたものであり、リモコン本体を機器本体３１に収納した状態でリモコン本体３０の操作を可能とし、主操作部３３とリモコン本体３０のどちら側でも操作ができるように構成したものではなかった。
【０００６】
また、リモコン本体３０の収納に関しては、機器本体３１側に収納部を設けず、専用のリモコン収納ケース３４を付属品として備え、使用者が部屋の任意の場所に前記収納ケースを設置し、そこに保管するという方法が多く、機器本体３１側に収納部を設けたものにおいても専用の収納ケース３４を機器本体の側面や背面に取り付け、そのポケット状のケース内にリモコンを収納するという形態のものであった。
【０００７】
【発明が解決しようとする課題】
上記したように、従来構成のリモコンにおいては、機器本体への装着状態が、別体で設けたリモコン収納ケースを機器本体の側面や背面に取り付け、そのポケット状の収納ケース内にリモコンを収納し、リモコン操作をするときのみ、そこから取り出し受信部に向けて操作信号を送信することでリモコンによる操作が可能になるというものであり、リモコン機能に限定した使用形態においては全く問題のない構成であるが、本願発明が解決しようとするリモコン機能に加えて、機器本体側での操作性において高齢者や幼児に対する操作の判り易さ及び簡便性を向上するという目的に関しては全く配慮がされていないものであった。
【０００８】
つまり、近年の燃焼器、例えばファンヒータ等においては燃焼制御という基本機能以外に各種機能を搭載し、使い勝手やメンテナンス性を向上させるようにしたものが数多く考案されている。そして、上記機能を作用させるため、主操作部には各種機能に対応した操作スイッチが配設され、複雑な構成を有するものである。このため、操作が複雑になり、特に高齢者や幼児においては操作方法が判りにくく、誤操作をしてしまうという心配もあり、極めて操作性を低下させるという課題を有するものであった。
【０００９】
また、近年においては暖房商品といえども、そのデザイン性は重視される傾向にあり、従来構成のように別体のリモコン収納ケースを機器本体の側面や背面に取り付け、そのケース内に収納するという形態は付属品的な印象は否めなく、見栄え面であまり好ましいものではなかった。
【００１０】
さらに、従来のように機器本体の側面や背面に設けたポケット状の収納ケースに入れて保管するようなタイプのものは、使用状態において常にリモコン本体を確認できるような状態にないため、例えば、リモコン本体をどこかに置き忘れたような場合、次に使用するまでリモコン本体がなくなっていることに気付かず、最終的に所在が判らなくなるという事態が起こり得るものであった。
【００１１】
さらに、ポケット状の収納ケースから出し入れするという使用形態においては、その取り扱いも多少、粗雑になりがちとなり、故障の原因を招く恐れがあった。
【００１２】
本発明は上記課題を解決するもので、リモコンを本体前面に収納することで、機器本体の一構成部品としてデザイン性の向上を図るとともに、常にリモコンの所在確認を可能な状態にして使い勝手の向上を図る。また、必要最小限のスイッチを配した構成とすることで、通常使用時における操作性の向上を図ることを目的とするものである。
【００１３】
【課題を解決するための手段】
上記課題を解決するために本発明は、機器本体に設けた主操作部と、機器本体の前面に設けたリモコンホルダーと、該リモコンホルダーに着脱自在に取り付け、少なくとも前記主操作部の操作スイッチより少なく操作スイッチを設けたリモコン本体と、前記リモコンホルダーに隣接して設け、前記リモコン本体が着脱いずれの状態においてもリモコン信号を受光する構成とした受光部を備え、前記リモコンホルダーは前記リモコン本体が装着される面を略垂直平面と傾斜面を有する構成とし、前記略垂直平面と傾斜面の境界部を軸として、前記リモコン本体が前記傾斜面に当接するまで回動するように構成し、前記リモコンホルダーの裏面には、前記略垂直平面と前記傾斜面にまたがる位置に１個以上の磁石を取り付けている。
【００１４】
上記発明によれば、機器本体にリモコン本体を装着するときは、リモコンホルダーの略垂直平面でリモコン本体を保持するようにしているため、本体前板と略同一面を形成することができ、本体前面にリモコン収納部を設けた構成としても、特に違和感を有するものではなく、本体の一構成部品、例えば第２の操作部として扱うことができ、従来の付属品的なリモコンに比べ、デザイン性の向上に大きく寄与するものであるとともに、前記リモコンホルダーに近接または一体化して設けた受光部と確実に所定の位置関係を確保することができ、リモコン本体を機器本体に収納した状態でリモコン操作が可能となり、前記第２の操作部として使用することが可能になり、主操作部と併せてどちら側からでも操作ができるようになる。そして、リモコン側の操作スイッチを主操作部より少ない数、例えば通常使用時に必要な最小限の操作スイッチを配した構成とすることで、高齢者や幼児が操作する場合でも極めて判りやすい操作方法を提供することができる。
【００１５】
また、遠隔操作機能として使用できることはいうまでもなく、本体前面に受光部を設けた構成としているため、座った状態や寝ころんだ状態でも操作が可能となり、操作範囲が極めて拡大して使い勝手の向上が図れるとともに、リモコン本体を取り外した状態においてリモコンホルダーが機器本体の前板より沈み込む状態にしているため、見栄えを損なうことなく、違和感のないデザインを確保することができる。
【００１６】
また、機器本体の前面にリモコンを収納するようにしているため、リモコン本体の取り外し有無の確認が明確に判別でき、長期間取り外したまま放置して失ってしまうという事態に対して警鐘を促すことができる。
【００１７】
さらに、リモコン本体を取り出すときは、リモコンホルダーの傾斜面に相対するリモコン本体部分を押すことで、前記リモコンホルダーの略垂直平面と傾斜面の境界部分を軸としてリモコン本体が回動し、前記略垂直平面と当接しているリモコン本体部分が前方に飛び出す形となり、取り出しが容易にでき、使い勝手の向上を図ることができる。
【００１８】
さらに、リモコンホルダーは１箇所に磁石を取り付けるだけでよく、構成の簡素化及びコストの低減を図ることができる。
【００１９】
【発明の実施の形態】
本発明の請求項１に記載した燃焼装置は、機器本体に設けた主操作部と、機器本体の前面に設けたリモコンホルダーと、該リモコンホルダーに着脱自在に取り付け、少なくとも前記主操作部の操作スイッチより少なく操作スイッチを設けたリモコン本体と、前記リモコンホルダーに隣接して設け、前記リモコン本体が着脱いずれの状態においてもリモコン信号を受光する構成とした受光部を備え、前記リモコンホルダーは前記リモコン本体が装着される面を略垂直平面と傾斜面を有する構成とし、前記略垂直平面と傾斜面の境界部を軸として、前記リモコン本体が前記傾斜面に当接するまで回動するように構成し、前記リモコンホルダーの裏面には、前記略垂直平面と前記傾斜面にまたがる位置に１個以上の磁石を取り付けている。
【００２０】
そして、機器本体にリモコン本体を装着するときは、リモコンホルダーの略垂直平面でリモコン本体を保持するようにしているため、本体前板と略同一面を形成することができ、本体前面にリモコン収納部を設けた構成としても、特に違和感を有するものではなく、本体の一構成部品、例えば第２の操作部として扱うことができ、従来の付属品的なリモコンに比べ、デザイン性の向上に大きく寄与するものであるとともに、前記リモコンホルダーに近接または一体化して設けた受光部と確実に所定の位置関係を確保することができ、リモコン本体を機器本体に収納した状態でリモコン操作が可能となり、前記第２の操作部として使用することが可能になり、主操作部と併せてどちら側からでも操作ができるようになる。そして、リモコン側の操作スイッチを主操作部より少ない数、例えば通常使用時に必要な最小限の操作スイッチを配した構成とすることで、高齢者や幼児が操作する場合でも極めて判りやすい操作方法を提供することができる。
【００２１】
また、遠隔操作機能として使用できることはいうまでもなく、本体前面に受光部を設けた構成としているため、座った状態や寝ころんだ状態でも操作が可能となり、操作範囲が極めて拡大して使い勝手の向上が図れるとともに、リモコン本体を取り外した状態においてリモコンホルダーが機器本体の前板より沈み込む状態にしているため、見栄えを損なうことなく、違和感のないデザインを確保することができる。
【００２２】
また、機器本体の前面にリモコンを収納するようにしているため、リモコン本体の取り外し有無の確認が明確に判別でき、長期間取り外したまま放置して失ってしまうという事態に対して警鐘を促すことができる。
【００２３】
さらに、リモコン本体を取り出すときは、リモコンホルダーの傾斜面に相対するリモコン本体部分を押すことで、前記リモコンホルダーの略垂直平面と傾斜面の境界部分を軸としてリモコン本体が回動し、前記略垂直平面と当接しているリモコン本体部分が前方に飛び出す形となり、取り出しが容易にでき、使い勝手の向上を図ることができる。
【００２４】
さらに、リモコンホルダーの略垂直平面と傾斜面にまたがる位置に磁石を取り付けるようにしているため、収納形態においてはリモコンホルダーの略垂直平面とリモコン本体が当接するように結合して、リモコン本体と受光部の位置関係を確保するとともに、本体前板と略同一面を形成しデザイン性を損なうことなく、本体前面へのリモコン取り付けを実現することができる。
【００２５】
また、リモコン本体の取り外しにおいては、リモコンホルダーの傾斜面とリモコン本体が当接するように結合して、リモコン本体が前板より飛び出した状態で保持するようにしているため、取り出しが容易となり使い勝手の向上を図ることができる。
【００２６】
また、リモコンホルダーは１箇所に磁石を取り付けるだけでよく、構成の簡素化及びコストの低減を図ることができる。
【００２７】
また、請求項２に記載した燃焼装置は、リモコンホルダーの磁石と、前記磁石に対向してリモコン本体に取り付けた磁性体により、前記リモコン本体の収納形態を確保するようにしている。
【００２８】
そして、リモコンホルダー側に設けた磁石でリモコン本体を固定するようにしているため、リモコン本体と受光部の位置関係を確保することができ、機器本体に装着した状態で使用する場合に第２の操作部として確実に操作を行うことができる。
【００２９】
また、リモコン本体はリモコンホルダーの傾斜面に相対する部分を適度な力で押すだけで取り外しができるため、操作性を損なうことがなく、かつ取り外した後はリモコン本体側には吸着手段を有していないため、機器本体のどこにでも吸着するという事態、例えば高温の温風が吹き出す吹出口近傍に吸着して吹出口を塞ぐという事態や高温によりリモコンが破損してしまうという事態を回避でき、安全なリモコンの取付構成を提供することができる。
【００３０】
また、請求項３に記載した燃焼装置は、リモコンホルダーの収納部形状とリモコン本体形状は一方向に対して同一形状になるようにしている。
【００３１】
そして、リモコン本体の装着方向を一方向に規制することで、リモコン本体と受光部の位置関係を確保することができ、機器本体に装着した状態で使用する場合に第２の操作部として確実に操作を行うことができる。
【００３２】
また、請求項４に記載した燃焼装置は、機器本体に設けた主操作部と、機器本体の前面に設けたリモコンホルダーと、該リモコンホルダーに着脱自在に取り付け、少なくとも前記主操作部の操作スイッチより少なく操作スイッチを設けたリモコン本体と、前記リモコンホルダーに隣接して設け、前記リモコン本体が着脱いずれの状態においてもリモコン信号を受光する構成とした受光部を備え、前記リモコンホルダーは前記リモコン本体が装着される面を略垂直平面と傾斜面を有する構成とし、前記略垂直平面と傾斜面の境界部を軸として、前記リモコン本体が前記傾斜面に当接するまで回動するように構成し、前記リモコンホルダー上方には、少なくとも下方と前方の二面に赤外線透過樹脂を配し、かつ係止部を有する受光カバーを一体化して設けるとともに、リモコン本体が略垂直平面と当接状態にあるとき前記リモコン本体からの信号を受光し、前記リモコン本体が傾斜面と当接状態にあるときは前記リモコン本体からの信号を受光しないような位置に受光ユニットを配設するようにしている。
【００３３】
そして、リモコンホルダーへの受光カバ−の取り付けが簡素化できるとともに、リモコン本体と受光ユニットの位置関係を規制することで、機器本体に装着した状態で使用する場合のみ第２の操作部として確実に操作を行うことができ、使い勝手の向上を図ることができる。
【００３４】
また、請求項５に記載した燃焼装置は、機器本体の前面に設けた前板適所にリモコンホルダー取付用開口部を設け、該開口部には切り起こし部を有する複数の折曲片を備え、該折曲片を前記リモコンホルダーに設けた取付孔に挿入することで前記リモコンホルダーを前記前板に一体化して取り付けるようにしている。
【００３５】
そして、リモコンホルダーを前板に一体化構成で取り付けることにより、リモコンホルダーとの位置関係を確実に確保することができ、相互の取付位置ずれによる隙間の発生を防止して見栄えの良さを確保することができるとともに、前板着脱作業時の不具合発生を回避することができる。
【００３６】
さらに、別体の締結具を用いることなく一体化構成することにより、工数及びコストの低減を図ることができ、かつ本体組立工程とは別工程での組立作業が可能となり、作業工程の合理化を図ることができる。
【００３７】
【実施例】
（実施例１）
以下、本発明の実施例１を図１から図６を用いて説明すると、１は機器本体、２は本体ケ−ス、３は天板、４は前板で、前面には切り起こし部５を有する折曲片６を備えたリモコンホルダ−７を取り付けるリモコンホルダ−取付用開口部８を、また該リモコンホルダ−取付用開口部８の近傍で、天面の一部を形成する天斜面部９には、主操作部１０を臨む如く開けられた天部開口孔１１を有している。前記主操作部１０は運転「入・切」スイッチの他複数個の操作スイッチ１２と前記リモコンホルダ−７の近傍に表示が変更する設定温度表示器１３と室温表示器１４の表示部Ｅを備え、操作スイッチ１２の操作により設定温度表示器１３と室温表示器１４に現在時刻や、運転入りタイマ−設定時刻を表示させることもできる操作部１５と、前記ケ−ス２と天板３にねじ止め固定され、前記操作部１５を固定支持する取付金具１５ａにより構成されている。
【００３８】
１６はリモコン本体であり、赤外線を利用したリモコン信号発信部１６ａと、運転「切」スイッチ、設定温度調節スイッチ等を備えてはいるが、前記主操作部１０の操作スイッチ数より少ない数のリモコン側操作スイッチＳと、裏面１６ｂには鉄板等の磁性体１７が貼り付けてある。
【００３９】
前記リモコンホルダ−７には、リモコン本体１６を収納する凹形状のリモコン収納部１８を有し、該リモコン収納部１８は前記リモコン本体１６を収納した状態において、前記リモコン本体１６の一部または全部が機器本体１の前板４よりも沈み込む構成となっている。
【００４０】
また、このリモコン収納部１８は、略垂直平面１８ａと傾斜面１８ｂを備えるとともに、この略垂直平面１８ａと傾斜面１８ｂの境界部Ｋを軸として、前記リモコン本体１６が前記傾斜面１８ｂに当接するまで回動できるようになっている。
【００４１】
また、略垂直平面１８ａと傾斜面１８ｂの裏面には、前記リモコン本体１６の裏面１６ｂに貼り付けられた磁性体１７と相対する位置にそれぞれ磁石１９が１個づつ接着固定されており、前記磁石１９によりリモコン本体１６を着脱自在に保持し、リモコンホルダ−７への収納形態を確保している。
【００４２】
さらに、リモコン収納部１８の形状とリモコン本体１６の形状は一方向に対して同一形状になるようにしている。
【００４３】
また、上記リモコンホルダ−７には、複数個の取付孔２０が設けられており、前記前板４のリモコンホルダ−取付用開口部８に設けられた複数個の切り起こし部５を有する折曲片６に前記取付孔２０を挿入すると、前記切り起こし部５がリモコンホルダ−７を係止することにより、機器本体１の前面の前板４に一体化して取り付けられている。
また、上記リモコンホルダ−７には、複数個の係合孔２１が設けられており、この係合孔２１に係合する複数個の係止部２２を備えるとともに、前面と下面と側面と天面を備えた赤外線透過樹脂で一体成形された受光カバ−２３が一体化して取り付けられている。
【００４４】
２４はリモコン本体１６からのリモコン信号を受光する受光素子２５を備えた受光ユニットで、前記主操作部１０を構成する取付金具１５ａに、前記受光カバ−２３と相対する位置で、機器本体１の前方からリモコン信号が出た場合はもちろん、さらに、前記リモコン本体１６がリモコンホルダ−７の略垂直平面１８ａと当接状態にあるときはリモコン本体１６からのリモコン信号を受光し、前記リモコン本体１６がリモコンホルダ−７の傾斜面１８ｂと当接状態にある時は、リモコン本体１６からのリモコン信号を受光しないような位置に配設されており、受光したリモコン信号は配線２６を介して主操作部１０へと送られ、配線２６を主操作部１０に収束させている。
【００４５】
上記のように、リモコン信号は全て受光カバ−２３を透過した後に受光ユニット２４で受光するようになっている。すなわち、前記受光カバ−２３と受光ユニット２４とで受光部２７を構成しており、受光部２７とリモコンホルダ−７を一体化することにより、リモコン本体１６が収納された状態であってもリモコン信号が受光できるようになっている。
【００４６】
次に上記構成において、機器本体１の運転方法を説明する。
【００４７】
まず、主操作部１０の操作のみで運転を行う場合は、操作スイッチ１２の操作により、運転の「入」・「切」や、設定温度調節や、運転入りタイマ−時刻設定等の全ての機能を使うことができる。
【００４８】
次にリモコンホルダ−７のリモコン収納部１８にリモコン本体１６を収納した状態で、リモコン本体１６を使って操作する場合について説明する。
【００４９】
この場合は、予め主操作部１０にて、運転「入・切」スイチを「入」の状態にしておく必要があるが、最も使用頻度が高い設定温度調節や、運転「切」操作はできるようになっており、操作スイッチ数を通常使用時に必要な最小限の数としてあるので、どのスイッチを押せばいいのかが誰にでも明確に判断できるようなっている。
【００５０】
また本実施例では、リモコン本体１６が主操作部１０の表示部Ｅである、設定温度表示器１３と室温表示器１４近傍の前板４の前面に収納されていることにより、主操作部１０を操作した時と同様に、リモコン本体１６を操作した時も設定温度表示器１３と室温表示器１４を見ながら操作できるようになっている。
【００５１】
さらに、リモコン本体の裏面１６ｂに貼り付けた磁性体１７が、リモコンホルダ−７に接着固定された磁石１９の磁力により保持されていることと、リモコン収納部１８の形状とリモコン本体１６の形状が一方向に対して同一形状になるようにしているので、リモコン本体１６のリモコン信号発信部１６ａを下側にした状態では、リモコン収納部１８にリモコン本体１６を収納することはできないようになっていることにより、リモコン本体１６と受光部２７との位置関係を確保でき、リモコン信号発信部１６ａから受光部２７の受光素子２５へ、確実にリモコン信号を送ることができる。
【００５２】
次に、リモコン本体１６をリモコンホルダ−７より取り出す場合について説明する。
【００５３】
リモコン本体１６をリモコンホルダ−７より取り出す場合には、図１（ａ）に示すように、まずリモコン本体１６の下部１６ｃを矢印Ｆ方向に、リモコン本体１６がリモコンホルダ−７の略垂直平面１８ａと傾斜面１８ｂの境界部Ｋを軸として回動し、傾斜面１８ｂに当接するまで押す。すると、リモコンホルダ−７の略垂直平面１８ａの裏面に接着固定された磁石１９と、この磁石１９に相対するリモコン本体１６の磁性体１７との間の保持力が少なくなり、反対に傾斜面１８ｂの裏面に接着固定された磁石１９と、この磁石１９に相対するリモコン本体１６の磁性体１７との間の保持力が大きくなることにより、図１（ｂ）に示すようにリモコン本体１６はリモコンホルダ−７の傾斜面１８ｂに沿った状態、すなわちリモコン本体１６が前方に飛び出した状態で保持される。磁石１９はこの状態でリモコン本体１６が容易に脱落しない磁力としているので、使用者は確実かつ簡単にリモコン本体１６をリモコンホルダ−７より取り外すことができる。
【００５４】
リモコン本体１６を取り外した後は図６（ｂ）に示すように、リモコン本体１６のリモコン信号発信部１６ａを受光カバ−２３に向けた状態でリモコン側操作スイチＳを操作すれば、機器本体１から離れた場所からであっても、リモコン本体１６の収納時と同様に機器を操作できるのである。
【００５５】
外されたリモコン本体１６は磁性体１７を有するのみであるので、磁石１９が接着固定されているリモコンホルダ−７のリモコン収納部１８以外の機器本体１の外周に吸着させることはできないようになっている。
【００５６】
次に、前板４を取り付けたり、取り外したりする機器本体１の組立、あるいはメンテナンス時について説明する。
【００５７】
リモコンホルダ−７は、前板４に一体的に取り付けられていることにより、組立、あるいはメンテナンス時に両者を嵌合させる必要がないので、前板４を取り付ける際にリモコンホルダ−７あるいは受光カバ−２３を傷付ける心配がないとともに、前板４のリモコンホルダ−取付用開口部８とリモコンホルダ−７の嵌合隙間を最小限にすることができる。
【００５８】
また受光部Ｅにおいて、受光ユニット２４が受光カバ−２３と分離していることと、受光ユニット２４の配線２６を主操作部１０に収束させていることにより、前板４を取り付ける際に配線２６を前板４と本体ケ−ス２との間に噛み込ませることがない。
【００５９】
また、前板４を取り外す際にも前板４側に配線類が一切ないことにより、取り外し作業性が非常に良い構成となっている。
【００６０】
（実施例２）
図７（ａ）と（ｂ）と図８は本発明の実施例２の燃焼装置のリモコン部を示す図である。
【００６１】
図において、１９はリモコンホルダ−７の略垂直平面１８ａと傾斜面１８ｂにまたがる裏面に接着固定された磁石で、リモコン本体１６の裏面１６ｂに貼り付けられた磁性体１７と相対しており、リモコン本体１６が略垂直平面１８ａと当接している時と、あるいはリモコン本体１６が傾斜面１８ｂと当接している時にリモコン本体１６をリモコンホルダ−７のリモコン収納部１８に１個の磁石で保持するようになっている。
【００６２】
（実施例３）
図９は本発明の実施例３の燃焼装置のリモコン部を示す断面部である。
【００６３】
図において、２７はリモコンホルダ−７の略垂直面１８ａと傾斜面１８ｂに貼り付けられたゴム磁石で、リモコン本体１６の裏面１６ｂに貼り付けられた磁性体１７と相対しており、リモコン本体１６が略垂直平面１８ａと当接している時と、あるいはリモコン本体１６が傾斜面１８ｂと当接している時にリモコン本体１６をリモコンホルダ−７のリモコン収納部１８に保持するようになっている。
【００６４】
【発明の効果】
以上のように請求項１に記載した燃焼装置によれば、機器本体にリモコン本体を装着するときは、リモコンホルダーの略垂直平面でリモコン本体を保持するようにしているため、本体前板と略同一面を形成することができ、本体前面にリモコン収納部を設けた構成としても、特に違和感を有するものではなく、本体の一構成部品、例えば第２の操作部として扱うことができ、従来の付属品的なリモコンに比べ、デザイン性の向上に大きく寄与するものであるとともに、前記リモコンホルダーに近接または一体化して設けた受光部と確実に所定の位置関係を確保することができ、リモコン本体を機器本体に収納した状態でリモコン操作が可能となり、前記第２の操作部として使用することが可能になり、主操作部と併せてどちら側からでも操作ができるようになる。そして、リモコン側の操作スイッチを主操作部より少ない数、例えば通常使用時に必要な最小限の操作スイッチを配した構成とすることで、高齢者や幼児が操作する場合でも極めて判りやすい操作方法を提供することができる。
【００６５】
また、遠隔操作機能として使用できることはいうまでもなく、本体前面に受光部を設けた構成としているため、座った状態や寝ころんだ状態でも操作が可能となり、操作範囲が極めて拡大して使い勝手の向上が図れるとともに、リモコン本体を取り外した状態においてリモコンホルダーが機器本体の前板より沈み込む状態にしているため、見栄えを損なうことなく、違和感のないデザインを確保することができる。
【００６６】
また、機器本体の前面にリモコンを収納するようにしているため、リモコン本体の取り外し有無の確認が明確に判別でき、長期間取り外したまま放置して失ってしまうという事態に対して警鐘を促すことができる。
【００６７】
さらに、リモコン本体を取り出すときは、リモコンホルダーの傾斜面に相対するリモコン本体部分を押すことで、前記リモコンホルダーの略垂直平面と傾斜面の境界部分を軸としてリモコン本体が回動し、前記略垂直平面と当接しているリモコン本体部分が前方に飛び出す形となり、取り出しが容易にでき、使い勝手の向上を図ることができる。
【００６８】
さらに、リモコンホルダーの略垂直平面と傾斜面にまたがる位置に磁石を取り付けるようにしているため、収納形態においてはリモコンホルダーの略垂直平面とリモコン本体が当接するように結合して、リモコン本体と受光部の位置関係を確保するとともに、本体前板と略同一面を形成しデザイン性を損なうことなく、本体前面へのリモコン取り付けを実現することができる。
【００６９】
また、リモコン本体の取り外しにおいては、リモコンホルダーの傾斜面とリモコン本体が当接するように結合して、リモコン本体が前板より飛び出した状態で保持するようにしているため、取り出しが容易となり使い勝手の向上を図ることができる。
【００７０】
また、リモコンホルダーは１箇所に磁石を取り付けるだけでよく、構成の簡素化及びコストの低減を図ることができる。
【００７１】
また、請求項２に記載した燃焼装置によれば、リモコンホルダー側に設けた磁石でリモコン本体を固定するようにしているため、リモコン本体と受光部の位置関係を確保することができ、機器本体に装着した状態で使用する場合に第２の操作部として確実に操作を行うことができる。
【００７２】
また、リモコン本体はリモコンホルダーの傾斜面に相対する部分を適度な力で押すだけで取り外しができるため、操作性を損なうことがなく、かつ取り外した後はリモコン本体側には吸着手段を有していないため、機器本体のどこにでも吸着するという事態、例えば高温の温風が吹き出す吹出口近傍に吸着して吹出口を塞ぐという事態や高温によりリモコンが破損してしまうという事態を回避でき、安全なリモコンの取付構成を提供することができる。
【００７３】
また、請求項３に記載した燃焼装置によれば、リモコン本体の装着方向を一方向に規制することで、リモコン本体と受光部の位置関係を確保することができ、機器本体に装着した状態で使用する場合に第２の操作部として確実に操作を行うことができる。
【００７４】
また、請求項４に記載した燃焼装置によれば、リモコンホルダーへの受光カバ−の取り付けが簡素化できるとともに、リモコン本体と受光ユニットの位置関係を規制することで、機器本体に装着した状態で使用する場合のみ第２の操作部として確実に操作を行うことができ、使い勝手の向上を図ることができる。
【００７５】
また、請求項５に記載した燃焼装置によれば、リモコンホルダーを前板に一体化構成で取り付けることにより、リモコンホルダーとの位置関係を確実に確保することができ、相互の取付位置ずれによる隙間の発生を防止して見栄えの良さを確保することができるとともに、前板着脱作業時の不具合発生を回避することができる。
【００７６】
さらに、別体の締結具を用いることなく一体化構成することにより、工数及びコストの低減を図ることができ、かつ本体組立工程とは別工程での組立作業が可能となり、作業工程の合理化を図ることができる。
【００７７】
なお、本実施例１と実施例２においては、磁石をリモコンホルダ−の略垂直平面と傾斜面の裏面あるいはそれぞれの面にまたがる位置に取り付けたが、例えば、リモコン本体に貼り付けた磁性体とリモコンホルダ−に取り付けた磁石が相対する位置にあれば、磁性体をリモコン本体の側面に取り付け、磁石を略垂直平面近傍の側面と傾斜面の側面に取り付けても、リモコン本体の収納形態については同様の効果が得られるのである。
【図面の簡単な説明】
【図１】  （ａ）本発明の実施例１における燃焼装置のリモコン収納状態を示す断面図
（ｂ）同燃焼装置のリモコン回動状態を示す断面図
【図２】  同燃焼装置のリモコン部の分解斜視図
【図３】  同燃焼装置の前板を外した状態を示す斜視図
【図４】  同燃焼装置のリモコン本体を背面より見た斜視図
【図５】  同燃焼装置の前板とリモコンホルダ−の係止状態を示す断面図
【図６】  （ａ）同燃焼装置の外観図
（ｂ）同燃焼装置のリモコン本体を取り外した状態の外観図
【図７】  （ａ）本発明の実施例２における燃焼装置のリモコン収納状態を示す断面図
（ｂ）同燃焼装置のリモコン回動状態を示す断面図
【図８】  同燃焼装置のリモコン部の分解斜視図
【図９】  （ａ）本発明の実施例３における燃焼装置のリモコン収納状態を示す断面図
（ｂ）同燃焼装置のリモコン回動状態を示す断面図
【図１０】  （ａ）従来の燃焼装置とリモコン収納ケ−スを示す外観図
（ｂ）同従来の燃焼装置とリモコン収納ケ−スを示す他構成の実施例の外観図
【符号の説明】
１  機器本体
４  前板
７  リモコンホルダ−
１０  主操作部
１６  リモコン本体
１８  リモコン収納部
１８ａ  略垂直平面
１８ｂ  傾斜面
Ｋ  境界部
【図１】
0004081924.tif 000002
【図２】
0004081924.tif 000003
【図３】
0004081924.tif 000004
【図４】
0004081924.tif 000005
【図５】
0004081924.tif 000006
【図６】
0004081924.tif 000007
【図７】
0004081924.tif 000008
【図８】
0004081924.tif 000009
【図９】
0004081924.tif 000010
【図１０】
0004081924.tif 000011